(57)【特許請求の範囲】
【請求項１】
用水供給管から常温の用水の供給を受けて内部に貯蔵する用水タンクと、
生石灰粉末が運搬されるＢＣＴ車両から圧力供給によって一端から他端まで前記生石灰粉末を移送させる原料投入管と、
一端が前記用水タンクと連結され、前記用水タンクの内部に貯蔵された用水の供給を受けて他端に移送させる用水投入管と、
前記用水投入管の他端から前記用水の供給を受けた後、前記原料投入管の他端から前記生石灰粉末の供給を受け、内部に設置された攪拌機によって供給を受けた前記生石灰粉末及び用水を攪拌して石灰乳が製造及び貯蔵される石灰乳タンクと、
前記石灰乳タンクの一側に設置されて前記石灰乳タンクの内部に貯蔵された前記石灰乳を排出する排出管と、
前記用水タンクの内部に貯蔵された用水を前記石灰乳タンクの内部に貯蔵された石灰乳と熱交換させた後、再び用水タンクの内部に貯蔵されるように循環させる廃熱回収ラインと、を含むことを特徴とする廃熱回収ラインが備えられた石灰乳製造装置。
【請求項２】
前記廃熱回収ラインは、
一端が前記用水タンクの下部と連結され、前記用水タンクの内部に貯蔵された用水を他端に送出する送出管と、
一端が前記送出管と連結され、他端が前記石灰乳タンクの内部を経由する熱交換管と、
一端が前記熱交換管の他端と連結され、他端が前記用水タンクの上部と連結される回収管と、を含むことを特徴とする請求項１記載の廃熱回収ラインが備えられた石灰乳製造装置。
【請求項３】
前記石灰乳タンクの内部に貯蔵された石灰乳の温度を感知する石灰乳温度センサと、
前記用水タンクの内部に貯蔵された用水の温度を感知する用水温度センサと、
前記石灰乳温度センサ及び用水温度センサのそれぞれから感知された温度値の伝達を受けて、前記廃熱回収ラインを稼動させる制御部と、をさらに含むことを特徴とする請求項１記載の廃熱回収ラインが備えられた石灰乳製造装置。
【請求項４】
前記制御部は、
前記石灰乳温度センサから伝達された温度値が４０℃以上である場合、前記用水温度センサから伝達された温度値が４０℃〜５０℃の範囲となるよう、前記廃熱回収ラインを稼動させることを特徴とする請求項３記載の廃熱回収ラインが備えられた石灰乳製造装置。
【請求項５】
前記石灰乳タンクに設置され、前記原料投入管から供給される生石灰粉末及び前記用水投入管から供給される用水の供給量を計量する計量器をさらに含むことを特徴とする請求項１記載の廃熱回収ラインが備えられた石灰乳製造装置。
【請求項６】
前記石灰乳タンクは、
前記生石灰粉末及び用水の水和反応によって発生する水蒸気を外部に排出するように上部に設置される水蒸気排出口をさらに含み、
一端が前記用水投入管から分岐して前記用水投入管から用水の供給を受け、他端が前記水蒸気排出口の内部に位置して前記用水を排出するスプレー管と、
前記スプレー管の他端に設置され、前記スプレー管から排出される用水を噴射させて前記水蒸気排出口に排出される水蒸気を凝縮させるスプレーノズルと、をさらに含むことを特徴とする請求項１記載の廃熱回収ラインが備えられた石灰乳製造装置。
【請求項７】
前記石灰乳タンク、前記用水タンク、前記用水投入管、前記廃熱回収ラインのうちのいずれか一つ以上は保温処理されていることを特徴とする請求項１記載の廃熱回収ラインが備えられた石灰乳製造装置。
【請求項８】
前記石灰乳タンク、前記用水タンク、前記用水投入管、前記廃熱回収ラインのうちのいずれか一つ以上は地下に設置されていることを特徴とする請求項１記載の廃熱回収ラインが備えられた石灰乳製造装置。
【請求項９】
用水供給管から常温の用水の供給を受けて用水タンクの内部に貯蔵する用水貯蔵段階と、
前記用水タンクと連結された用水投入管の一端から他端まで前記用水タンクの内部に貯蔵された用水を移送させる用水投入段階と、
生石灰粉末が運搬されるＢＣＴ車両から圧力供給によって原料投入管の一端から他端まで前記生石灰粉末を移送させる原料投入段階と、
石灰乳タンクの内部に前記用水投入管の他端から前記用水の供給を受けた後、前記原料投入管の他端から前記生石灰粉末の供給を受け、前記石灰乳タンクの内部に設置された攪拌機によって供給を受けた前記生石灰粉末及び用水を攪拌して石灰乳が製造及び貯蔵される石灰乳製造段階と、
前記用水タンクの内部に貯蔵された用水を前記石灰乳タンクの内部に貯蔵された石灰乳と熱交換させた後、再び用水タンクの内部に貯蔵されるように廃熱回収ラインによって循環させる廃熱回収段階と、
前記石灰乳タンクの一側に設置された排出管を介して前記石灰乳タンクの内部に製造されて貯蔵された前記石灰乳を排出する石灰乳排出段階と、を含むことを特徴とする廃熱回収ラインを用いた石灰乳製造方法。
【請求項１０】
前記廃熱回収段階は、
一端が前記用水タンクの下部と連結された送出管を介して前記用水タンクの内部に貯蔵された用水を前記送出管の他端に送出する用水送出段階と、
一端が前記送出管の他端と連結され、他端が前記石灰乳タンクの内部を経由する熱交換管を介して前記石灰乳タンクの内部に貯蔵された石灰乳と前記送出管を介して送出された用水を熱交換させる熱交換段階と、
一端が前記熱交換管の他端と連結され、他端が前記用水タンクの上部と連結される回収管を介して熱交換された前記用水を前記用水タンクの内部に回収する用水回収段階と、を含むことを特徴とする請求項９記載の廃熱回収ラインを用いた石灰乳製造方法。
【請求項１１】
前記廃熱回収段階は、
石灰乳温度センサを介して前記石灰乳タンクの内部に貯蔵された石灰乳の温度を感知する石灰乳温度感知段階と、
用水温度センサを介して前記用水タンクの内部に貯蔵された用水の温度を感知する用水温度感知段階と、
前記石灰乳温度センサ及び用水温度センサのそれぞれから感知された温度値の伝達を受けて、前記用水送出段階が遂行されるように制御する廃熱回収制御段階と、をさらに含むことを特徴とする請求項１０記載の廃熱回収ラインを用いた石灰乳製造方法。
【請求項１２】
前記廃熱回収制御段階は、
前記石灰乳温度センサから伝達された温度値が４０℃以上である場合、前記用水温度センサから伝達された温度値が４０℃〜５０℃の範囲となるよう、前記用水送出段階が遂行されるように制御することを特徴とする請求項１１記載の廃熱回収ラインを用いた石灰乳製造方法。
【請求項１３】
前記石灰乳タンクに設置された計量器を介して前記原料投入管から供給される生石灰粉末及び前記用水投入管から供給される用水の供給量を計量する石灰乳計量段階をさらに含むことを特徴とする請求項９記載の廃熱回収ラインを用いた石灰乳製造方法。
【請求項１４】
前記石灰乳タンク、前記用水タンク、前記用水投入管、前記廃熱回収ラインのうちのいずれか一つ以上は保温処理されていることを特徴とする請求項９記載の廃熱回収ラインを用いた石灰乳製造方法。
【請求項１５】
前記石灰乳タンク、前記用水タンク、前記用水投入管、前記廃熱回収ラインのうちのいずれか一つ以上は地下に設置されていることを特徴とする請求項９記載の廃熱回収ラインを用いた石灰乳製造方法。
【発明の詳細な説明】
【技術分野】
【０００１】
本発明は、生石灰粉末と用水を混合して液状石灰乳を製造する石灰乳製造装置及びこれを用いた石灰乳製造方法に関する。より詳細には、液状石灰乳の製造時に発生する廃熱を回収して用水に伝達することにより、水和反応に必要な最適温度で用水を供給して反応効率を高めながら石灰乳の製造時間を短縮することができる廃熱回収ラインが備えられた石灰乳製造装置及びこれを用いた製造方法に関する。
【背景技術】
【０００２】
産業体から排出される酸性廃水と可燃物焼却炉の排気ガスには、塩化水素（ＨＣＬ）、硫黄酸化物（ＳＯｘ）などの酸性化学物質が含まれている。前記酸性化学物質の処理は、通常アルカリ中和剤で中和処理する。アルカリ中和剤には、石灰乳[Ｃａ（ＯＨ）２]、石灰石（ＣａＣＯ３）、生石灰（ＣａＯ）、ドロマイト[ＣａＭｇ（ＣＯ３）２]、苛性ソーダ（ＮａＯＨ）などが使用されるが、化学反応性及び価格競争力に優れた石灰乳が最も広く使用されている。
【０００３】
一般的に石灰乳を製造する方法では、図１に示すようにＢＣＴ（Ｂｕｌｋ  Ｃｅｍｅｎｔ  Ｔｒａｉｌｅｒ）車両１によって原料である生石灰粉末を運搬し、ＢＣＴ車両１からサイロ（ｓｉｌｏ）２に生石灰粉末を貯蔵する。製品製造タンク３に用水を供給した後、サイロ２から生石灰粉末を適量だけ投入し、攪拌機４によって攪拌して用水（Ｈ２Ｏ）と生石灰（ＣａＯ）の水和反応で石灰乳（[Ｃａ（ＯＨ）２]が製造される。製品製造タンク３で製造された石灰乳は、製品出庫用貯蔵タンク５に移送及び貯蔵され、出庫時の輸送用車両６のタンクローリーを介して需要者の使用タンク７に移して貯蔵される。
【０００４】
前記のような従来技術による石灰乳製造方法の場合、第一にＢＣＴ車両１からサイロ２に生石灰粉末を投入するときに生石灰粉末の飛散による環境汚染の問題と集塵機の必須的な設置上の問題があり、第二に生産先と需要先が分離しているため、生産先の設備投資費用の上昇と需要先への物流費用の増大のような費用損失が大きいという問題がある。
【０００５】
このような問題を解決するため、韓国特許登録番号第１０-１０８４６９０号の「石灰乳製造装置」は、図２に示すようにＢＣＴ車両１１から生石灰粉末の供給を受ける原料投入管１０と、前記原料投入管１０の他端と連通するように合流し、一端から用水が供給されて前記原料投入管１０から移動した前記生石灰粉末を混合させながら混合された前記生石灰粉末及び用水を他端に供給する供給管２０と、前記供給管２０から前記生石灰粉末及び用水の供給を受け、内部に設置された攪拌機３１によって供給を受けた前記生石灰粉末及び用水を攪拌して石灰乳が製造及び貯蔵される石灰乳タンク３０と、前記石灰乳タンク３０の一側に設置されて貯蔵された前記石灰乳を排出する排出管４０を含んでなる。
【０００６】
これにより、需要者が直接石灰乳を製造することができるように石灰乳タンク３０一つで石灰乳を製造、生産及び使用することができる設備を提供し、液状の石灰乳運搬時に発生する物流費用を大幅に減少させ、石灰乳製造時に粉塵発生を防止できるようにした。
【０００７】
しかし、前述した従来技術による石灰乳製造装置の場合であっても、石灰乳タンク３０内部で生石灰粉末及び用水が水和反応して石灰乳が製造される際に略９０℃〜１００℃に達する発熱反応が起こり、９０℃〜１００℃の温度で製造された数トン〜数十トンの石灰乳を使用する際には、常温（２０±５℃）になるまで１日または２日の間自然冷却して常温保管するため、石灰乳の最終使用時までの自然冷却のための時間が長くなるという問題がある。
【０００８】
また、前記供給管２０を介して供給される用水は、低温または常温で供給されるが、生石灰粉末と水和反応する水の温度が４０℃〜５０℃程度の温水を使用する場合、水和反応時の反応速度及び効率が上昇する。
前述した問題点を解決し、水和反応時に温水を使用するときの長所を極大化させることを課題解決の原理とし、石灰乳製造時の水和反応によって発生する廃熱を供給される用水の温度を上げるために使用することができれば、水和反応に必要な最適温度の用水を供給して反応効率を高めながら石灰乳の製造時間を短縮することができる。
【発明の概要】
【発明が解決しようとする課題】
【０００９】
前記のような観点から案出された本発明の目的は、液状石灰乳の製造時に発生する廃熱を回収して用水に伝達することで、水和反応に必要な最適温度で用水を供給して反応効率を高めながら石灰乳の製造時間を短縮することができる廃熱回収ラインが備えられた石灰乳製造装置及び製造方法を提供することである。
【００１０】
本発明のその他の目的、特定の長所及び新規な特徴は添付された図面と関連した以下の詳細な説明と好ましい実施例からより明らかになる。
【課題を解決するための手段】
【００１１】
前記の目的を達成するために、本発明に係る廃熱回収ラインが備えられた石灰乳製造装置は、用水供給管から常温の用水の供給を受けて内部に貯蔵する用水タンクと、生石灰粉末が運搬されるＢＣＴ車両から圧力供給によって一端から他端まで前記生石灰粉末を移送させる原料投入管と、一端が前記用水タンクと連結され、前記用水タンクの内部に貯蔵された用水の供給を受けて他端に移送させる用水投入管と、前記用水投入管の他端から前記用水の供給を受けた後、前記原料投入管の他端から前記生石灰粉末の供給を受け、内部に設置された攪拌機によって供給を受けた前記生石灰粉末及び用水を攪拌して石灰乳が製造及び貯蔵される石灰乳タンクと、前記石灰乳タンクの一側に設置されて前記石灰乳タンクの内部に貯蔵された前記石灰乳を排出する排出管と、前記用水タンクの内部に貯蔵された用水を前記石灰乳タンクの内部に貯蔵された石灰乳と熱交換させた後、再び用水タンクの内部に貯蔵されるように循環させる廃熱回収ラインと、を含んでなる。
【００１２】
また、前記廃熱回収ラインは、一端が前記用水タンクの下部と連結され、前記用水タンクの内部に貯蔵された用水を他端に送出する送出管と、一端が前記送出管と連結され、他端が前記石灰乳タンクの内部を経由する熱交換管と、一端が前記熱交換管の他端と連結され、他端が前記用水タンクの上部と連結される回収管と、を含むことを特徴とする。
【００１３】
また、前記石灰乳タンクの内部に貯蔵された石灰乳の温度を感知する石灰乳温度センサと、前記用水タンクの内部に貯蔵された用水の温度を感知する用水温度センサと、前記石灰乳温度センサ及び用水温度センサのそれぞれから感知された温度値の伝達を受けて、前記廃熱回収ラインを稼動させる制御部と、をさらに含むことを特徴とする。
【００１４】
また、前記制御部は、前記石灰乳温度センサから伝達された温度値が４０℃以上である場合、前記用水温度センサから伝達された温度値が４０℃〜５０℃の範囲となるよう、前記廃熱回収ラインを稼動させることを特徴とする。
【００１５】
また、前記石灰乳タンクに設置され、前記原料投入管から供給される生石灰粉末及び前記用水投入管から供給される用水の供給量を計量する計量器をさらに含むことを特徴とする。
【００１６】
また、前記石灰乳タンクは、前記生石灰粉末及び用水の水和反応によって発生する水蒸気を外部に排出するように上部に設置される水蒸気排出口をさらに含み、一端が前記用水投入管から分岐して前記用水投入管から用水の供給を受け、他端が前記水蒸気排出口の内部に位置して前記用水を排出するスプレー管と、前記スプレー管の他端に設置され、前記スプレー管から排出される用水を噴射させて前記水蒸気排出口に排出される水蒸気を凝縮させるスプレーノズルと、をさらに含むことを特徴とする。
【００１７】
また、前記石灰乳タンク、前記用水タンク、前記用水投入管、前記廃熱回収ラインのうちのいずれか一つ以上は保温処理されるか、地下に設置されることができる。
【００１８】
さらに、前記の目的を達成するため、本発明に係る廃熱回収ラインを用いた石灰乳製造方法は、用水供給管から常温の用水の供給を受けて用水タンクの内部に貯蔵する用水貯蔵段階と、前記用水タンクと連結された用水投入管の一端から他端まで前記用水タンクの内部に貯蔵された用水を移送させる用水投入段階と、生石灰粉末が運搬されるＢＣＴ車両から圧力供給によって原料投入管の一端から他端まで前記生石灰粉末を移送させる原料投入段階と、石灰乳タンクの内部に前記用水投入管の他端から前記用水の供給を受けた後、前記原料投入管の他端から前記生石灰粉末の供給を受け、前記石灰乳タンクの内部に設置された攪拌機によって供給を受けた前記生石灰粉末及び用水を攪拌して石灰乳が製造及び貯蔵される石灰乳製造段階と、前記用水タンクの内部に貯蔵された用水を前記石灰乳タンクの内部に貯蔵された石灰乳と熱交換させた後、再び用水タンクの内部に貯蔵されるように廃熱回収ラインによって循環させる廃熱回収段階と、前記石灰乳タンクの一側に設置された排出管を介して前記石灰乳タンクの内部に製造されて貯蔵された前記石灰乳を排出する石灰乳排出段階と、を含む。
【００１９】
また、前記廃熱回収段階は、一端が前記用水タンクの下部と連結された送出管を介して前記用水タンクの内部に貯蔵された用水を前記送出管の他端に送出する用水送出段階と、一端が前記送出管の他端と連結され、他端が前記石灰乳タンクの内部を経由する熱交換管を介して前記石灰乳タンクの内部に貯蔵された石灰乳と前記送出管を介して送出された用水を熱交換させる熱交換段階と、一端が前記熱交換管の他端と連結され、他端が前記用水タンクの上部と連結される回収管を介して熱交換された前記用水を前記用水タンクの内部に回収する用水回収段階と、を含むことを特徴とする。
【００２０】
また、前記廃熱回収段階は、石灰乳温度センサを介して前記石灰乳タンクの内部に貯蔵された石灰乳の温度を感知する石灰乳温度感知段階と、用水温度センサを介して前記用水タンクの内部に貯蔵された用水の温度を感知する用水温度感知段階と、前記石灰乳温度センサ及び用水温度センサのそれぞれから感知された温度値の伝達を受けて、前記用水送出段階が遂行されるように制御する廃熱回収制御段階と、をさらに含むことを特徴とする。
【００２１】
また、前記廃熱回収制御段階は、前記石灰乳温度センサから伝達された温度値が４０℃以上である場合、前記用水温度センサから伝達された温度値が４０℃〜５０℃の範囲となるよう、前記用水送出段階が遂行されるように制御することを特徴とする。
【００２２】
また、前記石灰乳タンクに設置された計量器を介して前記原料投入管から供給される生石灰粉末及び前記用水投入管から供給される用水の供給量を計量する石灰乳計量段階をさらに含むことを特徴とする。
【発明の効果】
【００２３】
本発明に係る廃熱回収ラインが備えられた石灰乳製造装置及び製造方法は、液状石灰乳の製造時に発生する廃熱を、廃熱回収ラインを介して回収して用水に伝達することにより、水和反応に必要な最適温度で用水を供給し、反応効率を高めながら石灰乳の製造時間を短縮することができるという効果がある。
【図面の簡単な説明】
【００２４】
【図１】従来技術に係る石灰乳製造装置の一実施例を示した構成図である。
【図２】従来技術に係る石灰乳製造装置の他の実施例を示した構成図である。
【図３】本発明に係る廃熱回収ラインを用いた石灰乳製造方法の一実施例を示したブロック図である。
【図４】本発明に係る廃熱回収ラインが備えられた石灰乳製造装置の一実施例を示した構成図である。
【図５】図３の実施例中で用水貯蔵段階の遂行過程を示した要部構成図である。
【図６】図３の実施例中で用水タンク及び用水投入管を示した要部構成図である。
【図７】図４の実施例中で原料投入管の作動過程を示した要部構成図である。
【図８】図４の実施例中で石灰乳製造段階の遂行過程を示した要部構成図である。
【図９】図４の実施例中で石灰乳製造段階の遂行過程を示した要部構成図である。
【図１０】図４の実施例中で石灰乳製造段階の遂行過程を示した要部構成図である。
【図１１】本発明に係る廃熱回収ラインを用いた石灰乳製造方法の他の実施例を示したブロック図である。
【図１２】図１１の実施例中で廃熱回収段階の遂行過程を示した要部構成図である。
【図１３】図４の実施例中で水蒸気排出口、スプレー管及びスプレーノズルが追加で設置された状態を示した要部構成図である。
【発明を実施するための形態】
【００２５】
以下では、添付された図面を参照して本発明に係る廃熱回収ラインが備えられた石灰乳製造装置の好ましい実施例を詳細に説明する。
本発明に係る廃熱回収ラインが備えられた石灰乳製造装置は、図４、図６〜図１０、図１２、図１３に示すように、用水タンク１００、原料投入管２００、用水投入管３００、石灰乳タンク４００、排出管５００及び廃熱回収ライン６００を含んでなる。また、前記廃熱回収ライン６００は、送出管６１０、熱交換管６２０及び回収管６３０を含むことができ、石灰乳温度センサ７００、用水温度センサ８００及び制御部９００をさらに含むことができる。
【００２６】
用水タンク１００は、図４及び図６に示すように、用水供給管１１０から常温の用水の供給を受けて内部に貯蔵する。用水供給管１１０から供給される用水は、産業用または工業用の用水であって、該当地域の水道水や地下水で有り得、夏期には常温または冬期には低温の用水で有り得る。用水タンク１００は、用水供給管１１０を介して内部に常温の用水の供給を受けて貯蔵した後、後述する用水投入管３００の一端を介して他端に貯蔵された用水を供給する。このとき、用水タンク１００内部に貯蔵された用水は、後述する廃熱回収ライン６００を介して熱交換され、温度が上昇した温水で有り得る。
【００２７】
原料投入管２００は、図４及び図７に示すように、生石灰粉末が運搬されるＢＣＴ車両２１０から圧力供給によって一端から他端まで前記生石灰粉末を移送させる。ここでＢＣＴ車両２１０は、バルクセメントトレーラー（Ｂｕｌｋ  Ｃｅｍｅｎｔ  Ｔｒａｉｌｅｒ）であって、原料を粉末状態で運搬するトラックである。具体的には、ＢＣＴ車両２１０は、粉末状態の原料である生石灰粉末をタンクに入れて需要者に運搬し、車両に装着されたコンプレッサで発生する圧縮空気の力でタンク内部の生石灰粉末を吹き出す。ＢＣＴ車両２１０から供給される生石灰粉末は、前記原料投入管２００の一端から他端まで移動する。すなわち、原料投入管２００の一端が前記ＢＣＴ車両２１０と連結され、他端は後述する石灰乳タンク２００の内部まで連結される。
【００２８】
用水投入管３００は、図４及び図６に示すように、一端が前記用水タンク１００と連結され、前記用水タンク１００の内部に貯蔵された用水の供給を受けて他端に移送させる。すなわち、用水投入管３００の一端から前記用水タンク１００の内部に貯蔵された用水が供給され、他端を介して後述する石灰乳タンク３００の内部に移送される。
【００２９】
石灰乳タンク４００は、図４及び図８〜図１０に示すように、前記用水投入管３００の他端から前記用水の供給を受けた後、前記原料投入管２００の他端から前記生石灰粉末の供給を受け、内部に設置された攪拌機３１０によって供給を受けた前記生石灰粉末及び用水を攪拌して石灰乳が製造及び貯蔵される。すなわち、石灰乳タンク４００の内部に、図８及び図９に示すように、用水投入管３００を介して用水タンク１００に貯蔵された用水の供給を受けて適量を満たした後、原料投入管２００を介して生石灰粉末を満たされた用水内に投入する。したがって、原料投入管２００を介して投入される生石灰粉末は、石灰乳タンク４００の内部に投入されると同時に用水と混合されるため、粉塵の発生を防止することができるという効果がある。石灰乳タンク４００の内部で混合された用水と生石灰粉末が、前記攪拌機４１０によって攪拌され、用水（Ｈ２Ｏ）と生石灰（ＣａＯ）の水和反応により石灰乳（[Ｃａ（ＯＨ）２]が製造される。前記攪拌機４１０は、プロペラタイプで石灰乳タンク４００の内部に回転可能に設置され、攪拌機４１０を回転させる回転モータは、石灰乳タンク４００の上部に絶縁されるように設置される。
【００３０】
排出管５００は、図４及び図８〜図１０、図１２に示すように、前記石灰乳タンク４００の一側に設置されて貯蔵された前記石灰乳を排出する。すなわち、前記石灰乳タンク４００で製造された石灰乳は、そのまま前記石灰乳タンク４００に貯蔵され、使用時に必要に応じて石灰乳を、前記排出管５００を介して排出して使用すればよいので、前記石灰乳タンク４００は、製造と貯蔵及び使用を兼ねる多機能のタンクである。これにより、 生産先から使用先まで石灰乳を運搬する必要がないので、物流費用を大幅に減少させることができる。
【００３１】
前述したように、用水タンク１００、原料投入管２００、用水投入管３００、石灰乳タンク４００及び排出管５００を介して石灰乳を製造、貯蔵及び使用することができる。ただし、ここで石灰乳タンク４００内部に混合された生石灰粉末及び用水が水和反応によって石灰乳に製造される場合、水和反応時に発生する発熱により温度が９０℃〜１００℃に達する。９０℃〜１００℃の温度で製造された数トン〜数十トンの石灰乳を使用しようとする際には、常温（２０±５℃）になるまで１日または２日の間自然冷却して常温保管するので、石灰乳の最終使用時までの自然冷却のための時間が長くなるという問題がある。また、石灰乳タンク４００内部に製造された高温の石灰乳を自然冷却で冷やす場合、捨てられる熱エネルギーを浪費することになり、このような廃熱を活用することができる方案を講じたときに、石灰乳製造時に供給される用水の温度が４０℃〜５０℃の間の温水で供給される場合、水和反応の速度及び効率が増加するため、このような廃熱を用水の温度を上げる必要がある。このため、図４に示すように、廃熱回収ライン６００を設置する。
【００３２】
廃熱回収ライン６００は、図４及び図１２に示すように、前記用水タンク１００の内部に貯蔵された用水を前記石灰乳タンク４００の内部に貯蔵された石灰乳と熱交換させた後、再び用水タンク１００の内部に貯蔵されるように循環させる。より具体的には、前記廃熱回収ライン６００は、一端が前記用水タンク１００の下部と連結され、前記用水タンク１００の内部に貯蔵された用水を他端に送出する送出管６１０と、一端が前記送出管６１０と連結され、他端が前記石灰乳タンク４００の内部を経由する熱交換管６２０と、一端が前記熱交換管６２０の他端と連結され、他端が前記用水タンク１００の上部と連結される回収管６３０を含むことができる。
【００３３】
すなわち、石灰乳タンク４００内部に製造されて貯蔵された石灰乳は、水和反応時の発熱反応によって９０℃〜１００℃の温度に上昇した状態であり、用水タンク１００内部に貯蔵された用水は低温または常温であって、用水タンク１００内部に貯蔵された用水が廃熱回収ライン６００の送出管６１０を介して送出されて、熱交換管６２０を通りながら石灰乳タンク４００内部に貯蔵された石灰乳と熱交換する。これにより、石灰乳タンク４００内部に貯蔵された石灰乳の熱エネルギーが熱交換管６２０を通る用水に伝達され、石灰乳の温度は低くなり、用水の温度は上昇する。温度が上昇した用水は、廃熱回収ライン６００の回収管６３０を介して用水タンク１００に再び回収されて貯蔵される。
【００３４】
一方、廃熱回収の効率を高めるため、石灰乳タンク４００内部の石灰乳と廃熱回収ライン６００を通過して用水タンク１００内部に貯蔵される温水が、外部環境に露出して放熱されることで発生する熱損失を減らすことが好ましい。
このため、好ましくは、石灰乳タンク４００、用水タンク１００、用水投入管３００及び廃熱回収ライン６００のうちの少なくとも１つに対して保温処理することができる。例えば、外部に露出し得る石灰乳タンク、用水タンク、用水投入管及び廃熱回収ラインを断熱物質で製作するか、断熱材を取り付ける方法などで熱損失を防止することができる。他の方法としては、石灰乳タンク４００、用水タンク１００、用水投入管３００及び廃熱回収ライン６００を地下に設置することもできる。
【００３５】
廃熱回収ライン６００の送出管６１０は用水タンク１００の下部と連結され、回収管６３０は用水タンク１００の上部と連結されるが、用水タンク１００内部に貯蔵された用水の場合、水の温度によって比重が異なるため、水の温度が低いほど比重が大きく、水の温度が高くなるほど水の比重が小さくなるからである。すなわち、用水タンク１００内部に貯蔵された用水であっても、温度が低い用水は用水タンク１００の下部に移動し、温度が高い用水は用水タンク１００の上部に移動するため、廃熱回収ライン６００の送出管６１０を介して熱交換管６２０に移動して熱交換される用水は、用水タンク１００の下部に移動した相対的に低い温度の用水のほうが、熱交換効率が高いからである。
【００３６】
これにより、石灰乳タンク４００内部で石灰乳の製造時に発生する廃熱を、廃熱回収ライン６００を介して回収して、用水タンク１００に貯蔵された用水に伝達することによって、用水タンク１００に貯蔵された用水の温度を水和反応に必要な最適温度で維持し、このような用水タンク１００に貯蔵された温水を、用水投入管３００を介して石灰乳タンク４００の内部に供給し、生石灰粉末との水和反応時の反応速度及び反応効率を高めることができる。特に、石灰乳タンク４００で製造された高温の石灰乳を数日間自然冷却で長時間冷やす必要性から脱却し、廃熱回収ライン６００を介して使用に必要な温度に急速に冷却することができ、石灰乳の製造時間を短縮することができる。
【００３７】
この場合、前記廃熱回収ライン６００の稼動のための制御アルゴリズムが要求され、そのために石灰乳温度センサ７００、用水温度センサ８００及び制御部９００をさらに含むことができる。すなわち、石灰乳温度センサ７００は、図４、図１０及び図１２に示すように、前記石灰乳タンク４００の内部に貯蔵された石灰乳の温度を感知し、用水温度センサ８００は、図４、図６及び図１２に示すように、前記用水タンク１００の内部に貯蔵された用水の温度を感知する。このとき、制御部９００は、図４及び図１２に示すように、前記石灰乳温度センサ７００及び用水温度センサ８００のそれぞれから感知された温度値の伝達を受けて、前記廃熱回収ライン６００を稼動させる。
【００３８】
より具体的には、石灰乳製造時に水和反応に最適の反応速度及び反応効率を有する用水の供給温度は、４０℃〜５０℃範囲であるため、用水タンク１００に貯蔵された用水の温度を最適温度に維持しなければならず、当然に石灰乳タンク４００内部には、製造された石灰乳が貯蔵されていなければならず、用水の最適温度よりも高くなければならない。したがって、前記制御部９００は、前記石灰乳温度センサ７００から伝達された温度値が４０℃以上である場合、前記用水温度センサ８００から伝達された温度値が４０℃〜５０℃の範囲となるよう、前記廃熱回収ライン６００を稼動させる。
【００３９】
一方、石灰乳タンク４００はもちろんのこと、用水タンク１００にそれぞれ貯蔵された石灰乳及び用水の重量を計量することができる計量器が必要である。普通タンクの大きさに合わせて、一度に一定量ずつ生石灰粉末及び用水を供給するから問題はないが、石灰乳の製造量を変更したり、製造された石灰乳や用水の残量を確認したりする必要があるからである。すなわち、計量器４２０は、図４及び図８〜図１０、図１２に示すように、前記石灰乳タンク４００に設置され、前記原料投入管２００から供給される生石灰粉末及び前記用水投入管３００から供給される用水の供給量を計量する。図面に符号は示していないが、用水タンク１００の場合にも、図４及び図６に示すように、前記用水タンク１００に設置され、前記用水供給管１１０から供給される用水の供給量または用水投入管３００に供給される用水の供給量を計量することができる。
【００４０】
また一方で、前記石灰乳タンク４００の攪拌機４１０によって前記生石灰粉末及び用水が攪拌されると、水和反応によって発熱反応が起こり、これにより水蒸気が発生する。したがって、図４、図８〜図１０、図１２、図１３に示すように、前記石灰乳タンク４００内部で発生する水蒸気を外部に排出できるように、前記石灰乳タンク４００の上部に水蒸気排出口４３０を設置することができる。
【００４１】
このとき、前記水蒸気排出口４３０を介して水蒸気がそのまま排出されると、水蒸気の排出により石灰乳タンク４００内部の用水の供給量が減少することにより石灰石の濃度が変化し、水蒸気の発生によって美観を害することになり得る。これを防止するために、図１３に示すように、スプレー管３１０及びスプレーノズル３２０をさらに含むことができる。
【００４２】
すなわち、図１３に示すようにスプレー管３１０は、一端が前記用水投入管３００から分岐して、前記用水投入管３００から用水の供給を受け、他端が前記水蒸気排出口４３０の内部に位置して前記用水を排出する。また、スプレーノズル３２０は、前記スプレー管３１０の他端に設置され、前記スプレー管３１０から排出される用水を噴射して前記水蒸気排出口４３０に排出される水蒸気を凝縮する。
【００４３】
前記スプレーノズル３２０を介して圧力をかけ、用水を吹き出して水蒸気に噴射すると、水蒸気の一部が液体に変化する凝縮現象が発生する。これにより、前記水蒸気排出口４３０に排出しようとする水蒸気が凝縮して液化し、再び石灰乳タンク４００の内部に流入することにより、水蒸気の排出量を大幅に減少させることができる。
【００４４】
続いて、以下では添付された図面を参照して本発明に係る廃熱回収ラインを用いた石灰乳製造方法の好ましい実施例を詳細に説明する。
【００４５】
本発明に係る廃熱回収ラインを用いた石灰乳製造方法は、図３に示すように、用水貯蔵段階Ｓ１００、用水投入段階Ｓ２００、原料投入段階Ｓ３００、石灰乳製造段階Ｓ４００、廃熱回収段階Ｓ５００及び石灰乳排出段階Ｓ６００を含み、図１１に示すように、石灰乳計量段階Ｓ７００をさらに含むことができる。また、前記廃熱回収段階Ｓ５００は、用水送出段階Ｓ５１０、熱交換段階Ｓ５２０及び用水回収段階Ｓ５３０を含むことができ、石灰乳温度感知段階Ｓ５４０、用水温度感知段階Ｓ５５０及び廃熱回収制御段階Ｓ５６０をさらに含むことができる。
【００４６】
また、本発明に係る廃熱回収ラインを用いた石灰乳製造方法を遂行するためのそれぞれの構成として、図４〜図１０、図１２及び図１３に示すように、用水タンク１００、原料投入管２００、用水投入管３００、石灰乳タンク４００、排出管５００及び廃熱回収ライン６００を含む。また、前記廃熱回収ライン６００は、送出管６１０、熱交換管６２０及び回収管６３０を含むことができ、石灰乳温度センサ７００、用水温度センサ８００及び制御部９００をさらに含むことができる。
【００４７】
用水貯蔵段階Ｓ１００は、図３〜図５に示すように、用水供給管１１０から常温の用水の供給を受けて用水タンク１００の内部に貯蔵する。用水供給管１１０から供給される用水は、産業用または工業用の用水であり、該当地域の水道水や地下水で有り得、夏期には常温、冬期には低温の用水で有り得る。用水タンク１００は、用水供給管１１０を介して内部に常温の用水の供給を受けて貯蔵した後、後述する用水投入段階Ｓ２００で用水投入管３００の一端を介して他端に貯蔵した用水を供給する。このとき、用水タンク１００内部に貯蔵した用水は、後述する廃熱回収ライン６００を介して熱交換されて温度が上昇した温水で有り得る。
【００４８】
用水投入段階Ｓ２００は、図３、図４及び図６に示すように、前記用水タンク１００と連結された用水投入管３００の一端から他端まで前記用水タンク１００の内部に貯蔵された用水を移送させる。すなわち、用水投入管３００の一端から前記用水タンク１００の内部に貯蔵された用水が供給され、他端を介して後述する石灰乳タンク３００の内部に移送される。
【００４９】
原料投入段階Ｓ３００は、図３、図４及び図７に示すように、生石灰粉末が運搬されるＢＣＴ車両２１０から圧力供給によって原料投入管２００の一端から他端まで前記生石灰粉末を移動させる。ここでＢＣＴ車両２１０は、バルクセメントトレーラー（Ｂｕｌｋ  Ｃｅｍｅｎｔ  Ｔｒａｉｌｅｒ）であって、原料を粉末状態で運搬するトラックである。具体的には、ＢＣＴ車両２１０は、粉末状態の原料である生石灰粉末をタンクに入れて需要者に運搬し、車両に装着されたコンプレッサで発生する圧縮空気の力でタンク内部の生石灰粉末を吹き出す。ＢＣＴ車両２１０から供給される生石灰粉末は、前記原料投入管２００の一端から他端まで移動する。すなわち、原料投入管２００の一端が前記ＢＣＴ車両２１０と連結され、他端は後述する石灰乳タンク２００の内部まで連結される。
【００５０】
石灰乳製造段階Ｓ４００は、図３、図４及び図８〜図１０に示すように、石灰乳タンク４００の内部に、前記用水投入管３００の他端から前記用水の供給を受けた後、前記原料投入管２００の他端から前記生石灰粉末の供給を受け、前記石灰乳タンク４００の内部に設置された攪拌機４１０により供給を受けた前記生石灰粉末及び用水を攪拌して石灰乳が製造され貯蔵される。すなわち、図８及び図９に示すように、石灰乳タンク４００の内部に用水投入管３００を介して用水タンク１００に貯蔵した用水の供給を受けて適量を満たした後、原料投入管２００を介して生石灰粉末を満たされた用水内に投入する。したがって、原料投入管２００を介して投入される生石灰粉末は、石灰乳タンク４００の内部に投入されると同時に用水と混合されるため、粉塵の発生を防止できるという効果がある。石灰乳タンク４００の内部で混合された用水と生石灰粉末は前記攪拌機４１０によって攪拌され、用水（Ｈ２Ｏ）と生石灰（ＣａＯ）の水和反応により石灰乳（[Ｃａ（ＯＨ）２]が製造される。前記攪拌機４１０は、プロペラタイプで石灰乳タンク４００の内部に回転可能に設置され、攪拌機４１０を回転させる回転モータは、石灰乳タンク４００の上部に絶縁されるように設置される。
【００５１】
前述したように、用水貯蔵段階Ｓ１００、用水投入段階Ｓ２００、原料投入段階Ｓ３００及び石灰乳製造段階Ｓ４００によって、石灰乳を製造及び貯蔵することができる。ただし、ここで石灰乳タンク４００内部に混合された生石灰粉末及び用水が水和反応によって石灰乳に製造される場合には、水和反応時に発生する発熱により温度が９０℃〜１００℃に達する。９０℃〜１００℃の温度で製造された数トン〜数十トンの石灰乳を使用しようとする際には、常温（２０±５℃）になるまで１日または２日の間自然冷却して常温保管するので、石灰乳の最終使用時までの自然冷却のための時間が長くなるという問題がある。また、石灰乳タンク４００内部に製造された高温の石灰乳を自然冷却で冷やす場合、捨てられる熱エネルギーを浪費することになり、このような廃熱を活用できる方案を講じたときに石灰乳製造時に供給される用水の温度が４０℃〜５０℃の間の温水で供給されると、水和反応の速度及び効率が増加するため、このような廃熱を用水の温度を上げるようにする必要がある。このため、図３及び図１１に示すように、廃熱回収段階Ｓ５００をさらに含むことができる。
【００５２】
廃熱回収段階Ｓ５００は、図３、図４、図１１及び図１２に示すように、前記用水タンク１００の内部に貯蔵された用水を前記石灰乳タンク４００の内部に貯蔵された石灰乳と熱交換させた後、再び用水タンク１００の内部に貯蔵されるように、廃熱回収ライン６００を介して循環させる。より具体的には、前記廃熱回収ライン６００は、一端が前記用水タンク１００の下部と連結され、前記用水タンク１００の内部に貯蔵された用水を他端に送出する送出管６１０と、一端が前記送出管６１０と連結され、他端が前記石灰乳タンク４００の内部を経由する熱交換管６２０と、一端が前記熱交換管６２０の他端と連結され、他端が前記用水タンク１００の上部と連結される回収管６３０を含むことができる。これにより、前記廃熱回収段階Ｓ５００は、用水送出段階Ｓ５１０、熱交換段階Ｓ５２０及び用水回収段階Ｓ５３０を含むことができる。
【００５３】
すなわち、図１２に示すように、用水送出段階Ｓ５１０は、前記送出管６１０を介して用水タンク１００の下部に用水を送出し、熱交換段階Ｓ５２０は、前記熱交換管６２０を介して送出管６１０から送出された用水を石灰乳タンク４００の内部に貯蔵された石灰乳と熱交換させ、用水回収段階Ｓ５３０は、前記熱交換管６２０を介して熱交換された用水を再び用水タンク１００の上部に用水を回収する。
前記石灰乳タンク４００内部に製造されて貯蔵された石灰乳は、水和反応時の発熱反応によって９０℃〜１００℃の温度に上昇した状態であり、用水タンク１００内部に貯蔵された用水は低温または常温であって、用水タンク１００内部に貯蔵された用水が廃熱回収ライン６００の送出管６１０を介して送出され、熱交換管６２０を通りながら石灰乳タンク４００内部に貯蔵された石灰乳と熱交換する。これにより、石灰乳タンク４００内部に貯蔵された石灰乳の熱エネルギーが熱交換管６２０を通る用水に伝達され、石灰乳の温度は低くなり、用水の温度は上昇する。温度が上昇した用水は、廃熱回収ライン６００の回収管６３０を介して用水タンク１００に再び回収されて貯蔵される。
【００５４】
廃熱回収ライン６００の送出管６１０は、用水タンク１００の下部と連結され、回収管６３０は、用水タンク１００の上部と連結されるが、用水タンク１００内部に貯蔵された用水の場合、水の温度によって比重が異なるため、水の温度が低いほど比重が大きく、水の温度が高くなるほど水の比重が小さくなるからである。すなわち、用水タンク１００内部に貯蔵された用水であっても、温度が低い用水は用水タンク１００の下部に移動し、温度が高い用水は用水タンク１００の上部に移動するので、廃熱回収ライン６００の送出管６１０を介して熱交換管６２０に移動して熱交換する用水は、用水タンク１００の下部に移動した相対的に低い温度の用水のほうが、熱交換効率が高いからである。
【００５５】
これにより、石灰乳タンク４００内部で石灰乳の製造時に発生する廃熱を、廃熱回収ライン６００を介して回収し、用水タンク１００に貯蔵された用水に伝達することによって、用水タンク１００に貯蔵された用水の温度を水和反応に必要な最適温度で維持し、このような用水タンク１００に貯蔵された温水を、用水投入管３００を介して石灰乳タンク４００の内部に供給して生石灰粉末との水和反応時の反応速度及び反応効率を高めることができる。特に、石灰乳タンク４００で製造された高温の石灰乳を数日間自然冷却で長時間冷やす必要性から脱却し、廃熱回収ライン６００を介して使用に必要な温度に急速に冷却することができ、石灰乳の製造時間を短縮することができる。
【００５６】
この場合、前記廃熱回収ライン６００の稼動のための制御アルゴリズムが要求され、そのために前記廃熱回収段階Ｓ５００は、石灰乳温度感知段階Ｓ５４０、用水温度感知段階Ｓ５５０及び廃熱回収制御段階Ｓ５６０をさらに含むことができる。すなわち、石灰乳温度感知段階Ｓ５４０は、石灰乳温度センサ７００を介して前記石灰乳タンク４００の内部に貯蔵された石灰乳の温度を感知し、用水温度感知段階Ｓ５５０は、用水温度センサ８００を介して前記用水タンク１００の内部に貯蔵された用水の温度を感知し、廃熱回収制御段階Ｓ５６０は、前記石灰乳温度センサ７００及び用水温度センサ８００のそれぞれから感知された温度値の伝達を受けて、前記用水送出段階Ｓ５１０が遂行されるように制御する。このような廃熱回収ライン６００の制御は、制御部９００によって行われ、廃熱回収段階Ｓ５００は、用水送出段階Ｓ５１０を遂行するか否かに応じて、廃熱回収ライン６００が稼動するので、制御部９００は用水送出段階Ｓ５１０を遂行するか否かのみを制御すれば足りる。
【００５７】
より具体的には、石灰乳製造時の水和反応に最適の反応速度及び反応効率を有する用水の供給温度は４０℃〜５０℃範囲であるため、用水タンク１００に貯蔵された用水の温度を最適温度に維持する必要があり、当然、石灰乳タンク４００内部に製造された石灰乳が貯蔵されなければならず、用水の最適温度よりも高くなければならない。したがって、前記廃熱回収制御段階Ｓ５００は、前記石灰乳温度センサ７００から伝達された温度値が４０℃以上である場合、前記用水温度センサ８００から伝達された温度値が４０℃〜５０℃の範囲となるよう、前記用水送出段階Ｓ５１０が遂行されるよう制御する。
【００５８】
前述したように、廃熱回収段階Ｓ５００の遂行により、石灰乳タンク４００で製造され貯蔵された高温の石灰乳は、用水タンク１００に貯蔵された用水と熱交換し、自然冷却と比べてより短時間で冷却が行われ、石灰乳の熱エネルギーは、用水タンク１００に貯蔵された用水に伝達され、水和反応時に必要な最適温度を有する。このように、最終的に製造及び冷却されて石灰乳タンク４００に貯蔵された石灰乳は、使用のために排出されなければならない。
【００５９】
すなわち、石灰乳排出段階Ｓ６００は、図３及び図４に示すように、前記石灰乳タンク４００の一側に設置された排出管５００を介して前記石灰乳タンク４００の内部に製造されて貯蔵された前記石灰乳を排出する。すなわち、前記石灰乳タンク４００で製造された石灰乳は、そのまま前記石灰乳タンク４００に貯蔵され、使用時に必要に応じて石灰乳を、前記排出管５００を介して排出して使用すれば良いので、前記石灰乳タンク４００は、製造と貯蔵及び使用を兼ねる多機能のタンクである。これにより、生産先から使用先まで石灰乳を運搬する必要がないので、物流費用を大幅に減少させることができる。
【００６０】
一方、石灰乳タンク４００は勿論のこと、用水タンク１００にそれぞれ貯蔵された石灰乳及び用水の重量を計量することができる計量器が必要である。普通タンクの大きさに合わせて、一度に一定量ずつ生石灰粉末及び用水を供給するから問題はないが、石灰乳の製造量を変更したり、製造された石灰乳や用水の残量を確認したりする必要があるからである。したがって、図１１に示すように、石灰乳計量段階Ｓ７００は、前記石灰乳タンク４００に設置された計量器４２０を介して前記原料投入管２００から供給される生石灰粉末及び前記用水投入管３００から供給される用水の供給量を計量する。図面に符号は示していないが、用水タンク１００の場合にも、前記用水供給管１１０から供給される用水の供給量または用水投入管２００に供給される用水の供給量を計量することができる。
【００６１】
また一方、前記石灰乳タンク４００の攪拌機４１０によって前記生石灰粉末及び用水が攪拌されると、水和反応によって発熱反応が起こり、これにより水蒸気が発生する。よって、図４、図８〜図１０、図１２及び図１３に示すように、前記石灰乳タンク４００内部で発生する水蒸気を外部に排出できるように、前記石灰乳タンク４００の上部に水蒸気排出口４３０を設置することができる。
【００６２】
このとき、前記水蒸気排出口４３０を介して水蒸気がそのまま排出されると、水蒸気の排出によって石灰乳タンク４００内部の用水の供給量減少により、石灰石の濃度が変化し、水蒸気の発生により美観を害することになり得る。これを防止するために、図１３に示すように、スプレー管３１０及びスプレーノズル３２０をさらに含むことができる。
【００６３】
すなわち、図１３に示すように、スプレー管３１０は、一端が前記用水投入管３００から分岐して、前記用水投入管３００から用水の供給を受け、他端が前記水蒸気排出口４３０の内部に位置して前記用水を排出する。また、スプレーノズル３２０は、前記スプレー管３１０の他端に設置され、前記スプレー管３１０から排出される用水を噴射させて、前記水蒸気排出口４３０に排出される水蒸気を凝縮させる。
【００６４】
前記スプレーノズル３２０を介して圧力を加えて、用水を吹き出して水蒸気に噴射すると、水蒸気の一部が液体に変化する凝縮現象が発生する。これにより、前記水蒸気排出口４３０に排出しようとする水蒸気が凝縮されて液化し、再び石灰乳タンク４００の内部に流入することによって、水蒸気の排出量を大幅に減少させることができる。
【００６５】
前述したように、本発明に係る廃熱回収ラインを用いた石灰乳製造方法は、液状石灰乳の製造時に発生する廃熱を、廃熱回収ライン６００を介して回収して用水に伝達することにより、水和反応に必要な最適温度で用水を供給し、反応効率を高めながら石灰乳の製造時間を短縮することができるという効果がある。
【００６６】
以上で説明し、図面に示した本発明の実施例は、本発明の技術的思想を限定するものと解釈されてはならない。本発明の保護範囲は、請求範囲に記載された事項によってのみ制限され、本発明の技術分野において通常の知識を有する者は本発明の技術的思想を様々な形態に改良変更することが可能である。したがって、このような改良及び変更は、通常の知識を有する者に自明である限り、本発明の保護範囲に属する。
【符号の説明】
【００６７】
１００：用水タンク
１１０：用水供給管
２００：原料投入管
２１０：ＢＣＴ車両
３００：用水投入管
３１０：スプレー管
３２０：スプレーノズル
４００：石灰乳タンク
４１０：攪拌機     
４２０：計量器
４３０：水蒸気排出口
５００：排出管
６００：廃熱回収ライン
６１０：送出管
６２０：熱交換管
６３０：回収管
７００：石灰乳温度センサ
８００：用水温度センサ
９００：制御部     
Ｓ１００：用水貯蔵段階
Ｓ２００：用水投入段階
Ｓ３００：原料投入段階
Ｓ４００：石灰乳製造段階
Ｓ５００：廃熱回収段階
Ｓ５１０：用水送出段階
Ｓ５２０：熱交換段階
Ｓ５３０：用水回収段階
Ｓ５４０：石灰乳温度感知段階
Ｓ５５０：用水温度感知段階
Ｓ５６０：廃熱回収制御段階
Ｓ６００：石灰乳排出段階
Ｓ７００：石灰乳計量段階
【図１】
0006880331.tif 000002
【図２】
0006880331.tif 000003
【図３】
0006880331.tif 000004
【図４】
0006880331.tif 000005
【図５】
0006880331.tif 000006
【図６】
0006880331.tif 000007
【図７】
0006880331.tif 000008
【図８】
0006880331.tif 000009
【図９】
0006880331.tif 000010
【図１０】
0006880331.tif 000011
【図１１】
0006880331.tif 000012
【図１２】
0006880331.tif 000013
【図１３】
0006880331.tif 000014